(57)【要約】    【課題】停電時における動作電源を確保するとともに、無駄な電力消費を抑えて省電力化を図る。    【解決手段】居室親機２の停電検出回路２０９にて停電時が検出されたとき、蓄電部２０４ａからの直流電源の供給により当該蓄電部が一体的に構成された非常照明灯２０４を点灯させるとともに、この直流電源は居室親機および玄関子機１の動作電源となる。また、非常照明灯を居室親機に着脱自在で取り付ける。また、通電時において人感センサ２０３にて人体の存在が感知されたときのみ非常照明灯を点灯させる。また、蓄電部に予め充電されている直流電源の残量を電力残量表示部２０５、２０６に表示させる。また、通電時において照度センサ２０７にて検知される住戸内の明るさが一定の照度未満であった場合にのみ、非常照明灯を夜間照明灯として点灯させる。さらに、玄関子機からの呼び出しがあり照度センサにて検知される住戸内の明るさが一定の照度以上であった場合にのみモニタ２０５のバックライト２０５ｂを点灯させる。  【選択図】図２
2007174147.tif 000002
【特許請求の範囲】
【請求項１】
玄関に設置されカメラ（１０１）を有する玄関子機（１）と、住戸内に設置され前記玄関子機のカメラにて撮像された映像を表示するためのモニタ（２０５）を有する居室親機（２）とを備え、
前記居室親機は、商用電源（４）からの電源供給により直流電源が充電される蓄電部（２０４ａ）と、前記商用電源からの電源供給の有無を監視し、通電時または停電時を検出するための停電検出回路（２０９）と、前記停電検出回路にて前記停電時が検出されたとき前記蓄電部からの直流電源の供給により点灯する非常照明灯（２０４）とを有することを特徴とするテレビドアホン装置。
【請求項２】
前記非常照明灯は、前記蓄電部と一体的に構成され、前記居室親機に着脱自在で取り付けられることを特徴とする請求項１記載のテレビドアホン装置。
【請求項３】
前記玄関子機および前記居室親機は、前記停電時に、前記蓄電部からの直流電源の供給により動作することを特徴とする請求項１または請求項２記載のテレビドアホン装置。
【請求項４】
前記居室親機は、人体の存在の有無を感知するための人感センサ（２０３）と、前記停電検出回路にて前記通電時が検出され、前記人感センサが前記人体の存在を感知したとき前記非常表示灯を点灯し、前記人体の存在が非感知とされているとき消灯制御するための制御回路（２１１）とを備えたことを特徴とする請求項１乃至請求項３のうち何れか１項記載のテレビドアホン装置。
【請求項５】
前記居室親機は、前記蓄電部における直流電源の残量を表示するための電力残量表示部（２０５、２０６）を備えることを特徴とする請求項１乃至請求項４のうち何れか１項記載のテレビドアホン装置。
【請求項６】
前記居室親機は、前記住戸内の明るさを検知するための照度センサ（２０７）と、前記通電時に前記照度センサにて一定の照度未満であると判断されたときに前記非常照明灯を夜間照明灯として点灯制御するための制御回路（２１１）とを備えたことを特徴とする請求項１乃至請求項５のうち何れか１項記載のテレビドアホン装置。
【請求項７】
前記居室親機は、前記モニタにバックライト（２０５ｂ）を備え、前記玄関子機からの呼び出しがあり前記照度センサにて一定の照度以上であると検知されたときに前記バックライトを点灯制御するとともに、前記玄関子機からの呼び出しがあり前記照度センサにて一定の照度未満であると検知されたときに前記バックライトを消灯制御するための制御回路（２１１）と、前記照度センサの検知の有無に拘らず前記バックライトを手動で点灯させるための操作部（２０２）とを有することを特徴とする請求項６記載のテレビドアホン装置。
【請求項８】
前記居室親機は、前記モニタにバックライト（２０５ｂ）を備え、前記玄関子機からの呼び出しがあり前記照度センサにて一定の照度以上であると検知されたときに前記バックライトを点灯制御するとともに、前記玄関子機からの呼び出しがあり前記照度センサにて一定の照度未満であると検知されたときに前記バックライトを消灯制御し、前記人感センサが前記人体の存在を感知したときに点灯制御するための制御回路（２１１）を有することを特徴とする請求項６記載のテレビドアホン装置。
【発明の詳細な説明】
【技術分野】
【０００１】
本発明は、戸建住宅に設置されるテレビドアホン装置に係り、特に、停電時における動作電源を確保するとともに、無駄な電力消費を抑えて省電力化が図られたテレビドアホン装置に関する。
【背景技術】
【０００２】
従来から、停電時にでも動作可能とした集合住宅用警報監視盤および、これを用いて施工した集合住宅監視通話システム（例えば、特許文献１を参照。）と、停電時のエレベータにおいて、かご内照明用電源が断たれ、照明が消灯（不点）となり、乗客がかご内に閉じ込められた時、非常用インターホンなどの外部通報釦灯を点灯する停電灯装置（例えば、特許文献２を参照。）とがそれぞれ開示されている。
【０００３】
特許文献１の集合住宅用警報監視盤によれば、停電時に電源供給するバックアップ電源を備えているので、停電時にでも動作維持できるばかりでなく、異常信号を受信すれば、異常の発生した住戸番号を表示部に表示するとともに、異常警報を出力するので、停電時においても、管理人が、どこでどのような異常が発生したのかが容易に確認できる。また、集合住宅用警報監視盤は、住戸呼出ボタンとインターホン自動呼出接続手段とを備えており、管理人が異常警報を受けて住戸呼出ボタンを操作すれば、自動的に異常の発生した住戸を呼び出すことができるので、わざわざ表示部に表示された住戸番号を確認して、その住戸番号を操作部で入力して呼び出すなどといった手間が省け、間違いが減り、緊急の役にたつ。また、停電時において、住宅情報盤は非常電源装置より電源供給を受け、集合住宅用警報監視盤は、これに内蔵させたバックアップ電源から電源供給を受けるので、そのような場合にでもシステムの動作を維持できる。さらに、集合住宅用警報監視盤は、異常を発生した住戸番号を表示部に表示させると同時に、異常警報を出力させるので、管理人がこれを受けて、どこでどのような異常が発生したのかが容易に確認できる。
【０００４】
また、特許文献２の停電灯装置によれば、停電が発生した場合は非常用照明電源装置により一定時間だけ外部通報釦灯が点灯するため、停電等による缶詰発生時に停電灯とともに、新たに外部通報釦灯を点灯することができる。
【０００５】
【特許文献１】特開平１１−１６１８８３号公報（段落番号「００１０」乃至「００１８」、第１図、第２図）
【特許文献２】特開平６−９２５６７号公報（段落番号「００１０」乃至「００１９」、第１図、第２図）
【発明の開示】
【発明が解決しようとする課題】
【０００６】
背景技術に記載した特許文献１および特許文献２によれば、停電時における動作電源を確保して表示部を駆動させたり、外部通報釦灯を一定時間点灯することができる。しかしながら、夜間帯における停電時に居住者等の人物が移動するにあたっての有効的な照明機能が何ら備えられていないため、安全性が低下するばかりでなく、これを解消するにあたっては、人物により携行可能な非常照明灯等を別途に用意せねばならなかった。
【０００７】
本発明は、この難点を解消するためになされたもので、安全性を確保するために必要に応じて非常表示を行う照明灯と一体的に構成される蓄電部に充電させた直流電源を、この照明灯が着脱自在に取り付けられる居室親機および玄関子機の停電時における動作電源として確保するとともに、居室親機にて行われる表示動作にて必要な電力消費を抑えて省電力化を図ることができるテレビドアホン装置を提供することを目的としている。
【課題を解決するための手段】
【０００８】
前述の目的を達成するため、本発明の第１の態様であるテレビドアホン装置は、玄関に設置されカメラを有する玄関子機と、住戸内に設置され玄関子機のカメラにて撮像された映像を表示するためのモニタを有する居室親機とを備えたものである。居室親機は、商用電源からの電源供給により直流電源が充電される蓄電部と、商用電源からの電源供給の有無を監視し、通電時または停電時を検出するための停電検出回路と、停電検出回路にて停電時が検出されたとき蓄電部からの直流電源の供給により点灯する非常照明灯とを有したものである。
【０００９】
また、本発明の第２の態様であるテレビドアホン装置は、本発明の第１の態様において、非常照明灯は、蓄電部と一体的に構成され、居室親機に着脱自在で取り付けられるものである。
【００１０】
また、本発明の第３の態様であるテレビドアホン装置は、本発明の第１の態様または第２の態様において、玄関子機および居室親機は、停電時に、蓄電部からの直流電源の供給により動作するものである。
【００１１】
また、本発明の第４の態様であるテレビドアホン装置は、本発明の第１の態様乃至第３の態様において、居室親機は、人体の存在の有無を感知するための人感センサと、停電検出回路にて通電時が検出され、人感センサが人体の存在を感知したとき非常表示灯を点灯し、人体の存在が非感知とされているとき消灯制御するための制御回路とを備えたものである。
【００１２】
また、本発明の第５の態様であるテレビドアホン装置は、本発明の第１の態様乃至第４の態様において、居室親機は、蓄電部における直流電源の残量を表示するための電力残量表示部を備えたものである。
【００１３】
また、本発明の第６の態様であるテレビドアホン装置は、本発明の第１の態様乃至第５の態様において、居室親機は、住戸内の明るさを検知するための照度センサと、通電時に照度センサにて一定の照度未満であると判断されたときに非常照明灯を夜間照明灯として点灯制御するための制御回路とを備えたものである。
【００１４】
また、本発明の第７の態様であるテレビドアホン装置は、本発明の第６の態様において、居室親機は、モニタにバックライトを備え、玄関子機からの呼び出しがあり照度センサにて一定の照度以上であると検知されたときにバックライトを点灯制御するとともに、玄関子機からの呼び出しがあり照度センサにて一定の照度未満であると検知されたときにバックライトを消灯制御するための制御回路と、照度センサの検知の有無に拘らずバックライトを手動で点灯させるための操作部とを有するものである。
【００１５】
また、本発明の第８の態様であるテレビドアホン装置は、本発明の第６の態様において、居室親機は、モニタにバックライトを備え、玄関子機からの呼び出しがあり照度センサにて一定の照度以上であると検知されたときにバックライトを点灯制御するとともに、玄関子機からの呼び出しがあり照度センサにて一定の照度未満であると検知されたときにバックライトを消灯制御し、人感センサが人体の存在を感知したときに点灯制御するための制御回路を有するものである。
【発明の効果】
【００１６】
本発明の第１の態様であるテレビドアホン装置によれば、居室親機の停電検出回路にて停電時が検出されたとき、蓄電部からの直流電源の供給により非常照明灯を点灯させることができ、停電時の安全性を確保できる。
【００１７】
また、本発明の第２の態様であるテレビドアホン装置によれば、居室親機に着脱自在で取り付けられる非常照明灯と蓄電部とが一体的に構成されるため、停電時だけでなく、通電時も居室親機から非常照明灯を取り外して使用できる。
【００１８】
また、本発明の第３の態様であるテレビドアホン装置によれば、非常照明灯と一体的に構成された蓄電部に予め充電されている直流電源は、通電時および停電時において居室親機および玄関子機の動作電源となり、特に、停電時における動作電源を容易に確保することができる。
【００１９】
また、本発明の第４の態様であるテレビドアホン装置によれば、通電時において人感センサにて人体の存在が感知されたときのみ非常照明灯を点灯させることができるため、電源回路からの電源供給による無駄な電力消費が抑えられて省電力化が図られる。
【００２０】
また、本発明の第５の態様であるテレビドアホン装置によれば、非常照明灯と一体的に構成された蓄電部に予め充電されている直流電源の残量を容易に確認することができる。
【００２１】
また、本発明の第６の態様であるテレビドアホン装置によれば、通電時において照度センサにて検知される住戸内の明るさが一定の照度未満であった場合にのみ、非常照明灯を夜間照明灯として点灯させることができるため、通電時であっても、昼間帯のように住戸内が明るく住戸内の明るさが一定の照度以上である場合には、非常照明灯を非点灯のまま保持でき、電源回路からの電源供給による無駄な電力消費が抑えられて省電力化が図られる。
【００２２】
また、本発明の第７、第８の各態様であるテレビドアホン装置によれば、玄関子機からの呼び出しがあり照度センサにて検知される住戸内の明るさが一定の照度以上であった場合にのみモニタのバックライトを点灯させることができるため、例えば、暗い住戸内に来訪者の顔が突然表示されるような就寝中の居住者にとって不快を感じる表示を防止でき、居住者は来訪者の識別が可能となる。なお、バックライトの点灯は、手動または人感センサにて人体の存在が感知されたときに点灯させることもできる。
【発明を実施するための最良の形態】
【００２３】
以下、本発明のテレビドアホン装置を適用した最良の実施の形態例について、図面を参照して説明する。
【００２４】
図１は、本発明の実施例によるテレビドアホン装置の全体構成を示すシステム説明図である。
【００２５】
図１に示すテレビドアホン装置は、玄関に設置される玄関子機１と、住戸内に設置される居室親機２と、火災やガス漏れ等のセキュリティ異常を検出するための少なくとも１台のセキュリティセンサ、ここでは、１台のセキュリティセンサ３と、商用電源（ＡＣ１００Ｖ）４とで構成されている。また、居室親機２には、子機ラインＬ1を経由して玄関子機１が、センサラインＬ2を経由してセキュリティセンサ３が、電源ラインＬ3を経由して商用電源４がそれぞれ接続されている。
【００２６】
玄関子機１には、呼出ボタン１００、カメラ１０１、マイク（以下、子機マイクという。）１０２、スピーカ（以下、子機スピーカという。）１０３が備えられている。
【００２７】
この玄関子機１において、呼出ボタン１００は、玄関に居る人物、例えば、来訪者が住戸内に在室中の居住者を呼び出すための操作を行うものである。
【００２８】
カメラ１０１は、来訪者の映像や玄関の周囲近傍の映像を撮像するためのものである。このカメラ１０１としては、例えば、ＣＣＤ（Charge Coupled Devices）、ＣＭＯＳ（Complementary Metal Oxide Semiconductor）等の各種の撮像素子が好適とされる。
【００２９】
子機マイク１０２および子機スピーカ１０３は、来訪者が居住者との間で通話を成立させるにあたり、音声（送話音声、受話音声）を入出力するためのものである。
【００３０】
なお、玄関子機１において、呼出ボタン１００、カメラ１０１、子機マイク１０２、子機スピーカ１０３の設置位置は、図１の態様に限定されるものではなく、その部位の性質に応じた所定の位置に設けることができる。
【００３１】
また、居室親機２には、スピーカ（以下、親機スピーカという。）２００、マイク（以下、親機マイクという。）２０１、操作部２０２、人感センサ２０３、非常照明灯２０４、モニタ２０５、ＬＥＤ（Light Emitting Diode）２０６、照度センサ２０７が備えられている。
【００３２】
この居室親機２において、親機スピーカ２００は、来訪者からの呼び出しがある旨の呼出音や音声メッセージ、セキュリティセンサ３にて検出されたセキュリティ異常の内容を示す警報音や音声メッセージ等を放音／鳴動するとともに、居住者が来訪者との間で通話を成立させるにあたり、音声（受話音声）を出力するためのものである。
【００３３】
親機マイク２０１は、居住者が来訪者との間で通話を成立させるにあたり、音声（送話音声）を入力するためのものである。
【００３４】
操作部２０２は、来訪者からの呼び出しがあることを確認した居住者が親機スピーカ２００および親機マイク２０１を使用した通話を成立させるための応答操作や、モニタ２０５の後述するバックライト２０５ｂを手動で点灯させるための操作を行うものである。この操作部２０２としては、例えば、通話ボタン、ライト点灯ボタン等の各種の操作ボタンやタッチパネルが好適とされる。
【００３５】
人感センサ２０３は、居室親機２の周囲近傍に居住者等の人体の存在の有無を感知するためのものである。
【００３６】
非常照明灯２０４は、商用電源４による居室親機２への電源供給が停止するような停電時において点灯されるものである。この非常照明灯２０４は、蓄電部２０４ａと一体的に構成され、居室親機２に着脱自在で取り付けられている。なお、蓄電部２０４ａとしては、例えば、蓄電池、スーパーキャパシタ、バッテリ等の蓄電機能を有する部品のみならず、一次電池である乾電池等、電荷の蓄電機能を有する部品が好適とされる。
【００３７】
モニタ２０５は、玄関子機１のカメラ１０１にて撮像された映像、来訪者からの呼び出しがある旨の文字メッセージや絵データ、セキュリティセンサ３にて検出されたセキュリティ異常の内容を示す文字メッセージや絵データ等を表示するとともに、非常照明灯２０４と一体的に構成された蓄電部２０４ａに予め充電されている電力（直流電源）の残量を表示、例えば、インジケータ表示する電力残量表示部を構成する。このモニタ２０５としては、例えば、ＬＣＤ（Liquid Crystal Display）が好適とされる。
【００３８】
ＬＥＤ２０６は、非常照明灯２０４と一体的に構成された蓄電部２０４ａに予め充電されている電力（直流電源）の残量を表示、例えば、所定の発光色で点滅／点灯する電力残量表示部を構成する。
【００３９】
照度センサ２０７は、住戸内の明るさを検知するためのものである。
【００４０】
なお、居室親機２において、親機スピーカ２００、親機マイク２０１、操作部２０２、人感センサ２０３、非常照明灯２０４、モニタ２０５、ＬＥＤ２０６、照度センサの設置位置は、図１の態様に限定されるものではなく、その部位の性質に応じた所定の位置に設けることができる。
【００４１】
図２は、本発明の実施例によるテレビドアホン装置において、居室親機２の具体的な構成を示すブロック図である。
【００４２】
図２に示す居室親機２には、前述の親機スピーカ２００、親機マイク２０１、操作部２０２、人感センサ２０３、非常照明灯２０４、モニタ２０５、ＬＥＤ２０６および照度センサ２０７と、通話回路２０８と、停電検出回路２０９と、電源回路２１０と、制御回路２１１と、第１乃至第３の各インターフェース（以下、それぞれ子機側Ｉ／Ｆ、センサ側Ｉ／Ｆ、電源側Ｉ／Ｆという。）２１２、２１３、２１４と、第１乃至第３の各ライン接続端子（以下、それぞれ子機接続端子、センサ接続端子、電源接続端子という。）２１５、２１６、２１７とが備えられている。
【００４３】
この居室親機２において、モニタ２０５には、前述の各種表示が行われる表示面２０５ａと、表示面２０５ａの下層に設けられ、当該表示面を背面側から照射するためのバックライト２０５ｂとが備えられている。
【００４４】
通話回路２０８は、親機マイク２０１および親機スピーカ２００にて入出力される音声（送話音声、受話音声）であり電気信号に信号処理された音声信号について、４線／２線変換、２線／４線変換、増幅等を行うためのものである。
【００４５】
停電検出回路２０９は、電源接続端子２１７に印加される商用電源４からの電源供給の有無を監視し、この印加電圧の電圧レベルをもとに通電時または停電時を検出するためのものである。
【００４６】
電源回路２１０は、停電検出回路２０９にて検出される通電時には、商用電源４からの電源供給を整流／平滑させた直流電源について当該居室親機の構成各部／回路および玄関子機１の構成各部／回路にそれぞれ供給する一方、停電時には、非常照明灯２０４と一体的に構成された蓄電部２０４ａに予め充電されている直流電源について当該居室親機の構成各部／回路および玄関子機１の構成各部／回路にそれぞれ供給するためのものである。
【００４７】
制御回路２１１は、当該居室親機の構成各部／回路をそれぞれ制御するためのものである。
【００４８】
子機側Ｉ／Ｆ２１２は、制御回路２１１および子機接続端子２１５の間の信号／データ伝送路、電源供給路をそれぞれ形成するためのものであり、子機接続端子２１５には子機ラインＬ1が接続されている。
【００４９】
センサ側Ｉ／Ｆ２１３は、制御回路２１１およびセンサ接続端子２１６の間の信号／データ伝送路を形成するためのものであり、センサ接続端子２１６にはセンサラインＬ2が接続されている。
【００５０】
電源側Ｉ／Ｆ２１４は、電源接続端子２１７および停電検出回路２０９の間の電源供給路、電源接続端子２１７および電源回路２１０の間の電源供給路をそれぞれ形成するためのものであり、電源接続端子２１７には電源ラインＬ3が接続されている。
【００５１】
このように構成された本発明の実施例によるテレビドアホン装置において、以下、具体的な動作について説明する。
【００５２】
なお、図１および図２に示すテレビドアホン装置において、玄関に居る来訪者が玄関子機１の呼出ボタン１００を操作し、この呼出操作を検出した居室親機２の制御回路２１１の制御により親機スピーカ２００から呼出音や音声メッセージ等を放音する動作およびモニタ２０５（の表示面２０５ａ）に呼び出しがある旨の文字メッセージや絵データ等を表示する動作、すなわち、呼出報知の動作と、玄関子機１のカメラ１０１にて撮像された映像を居室親機２のモニタ２０５（の表示面２０５ａ）に表示する動作と、来訪者からの呼び出しを確認した居住者が操作部２０２を使用して応答操作を行い、この応答操作を検出した制御回路２１１の制御により子機マイク１０２および子機スピーカ１０３と親機スピーカ２００および親機マイク２０１との間で音声信号を送受信して通話を成立させる動作とは、戸建住宅に設置される各種のインターホン装置において公知の技術であるため、これらの動作説明は省略するものとする。
【００５３】
図２において、居室親機２の停電検出回路２０９は、電源接続端子２１７に印加される商用電源４からの電源供給の有無を監視しており、検出された印加電圧の電圧レベルが閾値レベル以上であった場合には通電時であると判断して通電信号を制御回路２１１に送出する。一方、検出された印加電圧の電圧レベルが閾値レベル未満であった場合には停電時であると判断して停電信号を制御回路２１１に送出する。
【００５４】
ここで、居室親機２の停電検出回路２０９からの通電信号を検出した制御回路２１１は、電源回路２１０を制御して、商用電源４からの電源供給について整流／平滑させた直流電源を、当該居室親機に着脱自在で取り付けられている非常照明灯２０４に一体的で構成された蓄電部２０４ａに充電させることができる。また、電源回路２１０にて整流／平滑された直流電源は、当該居室親機の構成各部／回路にそれぞれ供給されて動作電源となるばかりでなく、制御回路２１１、子機側Ｉ／Ｆ２１２、子機接続端子２１５、子機ラインＬ1を経由して玄関子機１の構成各部／回路にそれぞれ供給されて動作電源となる。なお、蓄電部２０４ａは、通電時において満充電となる。
【００５５】
一方、居室親機２の停電検出回路２０９からの停電信号を検出した制御回路２１１は、非常照明灯２０４に一体的で構成された蓄電部２０４ａに予め充電されている直流電源を動作電源として当該非常照明灯を点灯させることができる。また、蓄電部２０４ａに予め充電されている直流電源は、当該居室親機の構成各部／回路にそれぞれ供給されて動作電源となるばかりでなく、制御回路２１１、子機側Ｉ／Ｆ２１２、子機接続端子２１５、子機ラインＬ1を経由して玄関子機１の構成各部／回路にそれぞれ供給されて動作電源となる。
【００５６】
なお、居室親機２の制御回路２１１は、非常照明灯２０４に一体的で構成された蓄電部２０４ａに予め充電されている直流電源の残量を監視しており、その残量をモニタ２０５および／またはＬＥＤ２０６を使用して表示することができる。例えば、モニタ２０５を使用するにあたっては、直流電源の残量を表示面２０５ａにインジケータ表示させる。一方、ＬＥＤ２０６を使用するにあたっては、直流電源の残量に応じた発光色で点滅／点灯させることができる。
【００５７】
また、前述の通電時または停電時において、居室親機２から非常照明灯２０４を取り外すと、蓄電部２０４ａに予め充電されている直流電源が動作電源となり、当該非常照明灯を点灯させることができる。この態様によれば、非常照明灯２０４を懐中電灯として使用することができる。
【００５８】
さらに、前述の通電時または停電時において、玄関子機１からの呼び出しを検出（詳述せず。）した居室親機２の制御回路２１１は、当該居室親機に着脱自在で取り付けられている非常照明灯２０４を点灯させて呼出報知を行うこともできる。なお、呼出報知として非常照明灯２０４を点灯させるか否かの設定は、居住者が操作部２０２を使用して必要に応じて行うことができる。
【００５９】
前述までの動作によれば、住戸内に居住者が在室中であるか否かに拘わらず、停電時における玄関子機１および居室親機２のそれぞれの動作電源は、非常照明灯２０４に一定的で構成された蓄電部２０４ａに予め充電されている直流電源が必要であり、例えば、居住者が不在である場合において非常表示灯２０４を点灯させる動作は無駄な電力消費となる虞があった。これを解消するにあたり、停電検出回路２０９にて通電時であると判断され、居室親機２の周囲近傍に居住者の存在を人感センサ２０３が感知した場合にのみ、停電検出回路２０９からの通電信号および人感センサ２０３からの感知信号をそれぞれ検出した制御回路２１１の制御により非常表示灯２０４を点灯させる一方、停電検出回路２０９にて通電時であると判断され、通電信号が検出された場合であっても、人感センサ２０３からの感知信号を検出できなかった場合には、非常表示灯２０４を消灯制御することができる。この制御により、電源回路２１０からの電源供給による無駄な電力消費が抑えられて省電力化が図られる。なお、人感センサ２０３での人体の感知の有無に基づく非常照明灯２０４を点灯させるか否かの設定は、居住者が操作部２０２を使用して必要に応じて行うことができる。
【００６０】
次に、前述の通電時または停電時において、セキュリティセンサ３にてガス漏れ、火災発生等のセキュリティ異常が検知されると、このセキュリティセンサ３にて生成されたセキュリティ異常信号がセンサラインＬ3、居室親機２のセンサ接続端子２１６、センサ側Ｉ／Ｆ２１３を経由して制御回路２１１に伝送される。
【００６１】
居室親機２の制御回路２１１は、セキュリティセンサ３からのセキュリティ異常信号を検出すると、非常発報／表示として、セキュリティ異常の内容を示す警報音や音声メッセージ等を親機スピーカ２００から鳴動させるとともに、セキュリティ異常の内容を示す文字メッセージや絵データ等をモニタ２０５（の表示面２０５ａ）に表示させ、さらには、セキュリティ異常の内容を示す所定の発光間隔で非常照明灯２０４を点滅／点灯させることができる。なお、制御回路２１１は、セキュリティ異常の内容を示す警報音や音声メッセージ等を玄関子機１の子機スピーカ１０３から鳴動させることもできる。
【００６２】
前述までの動作によれば、通電時または停電時であるか否かに拘わらず、セキュリティセンサ３からのセキュリティ異常信号を検出した居室親機２の制御回路２１１は、親機スピーカ２００、非常表明灯２０４およびモニタ２０５を使用して所定の非常発報／表示を行うが、停電時においては、非常照明灯２０４に一定的で構成された蓄電部２０４ａに予め充電されている直流電源が必要であり、通電時と比較してより大きな電力消費となり蓄電部２０４ａに負荷がかかるため、直流電源の残量が少ないと所定の警報発報／表示を行うことができない虞があった。これを解消するにあたり、居住者は、制御回路２１１の制御により前述の残量表示が行われるモニタ２０５（の表示面２０５ａ）および／またはＬＥＤ２０６を確認して、例えば、通電時において十分な直流電源を蓄電部２０４ａに予め充電させておくことが望ましい。
【００６３】
次に、居室親機２の照度センサ２０７は、住戸内の明るさを監視しており、検知された明るさに応じた電圧レベルの照度信号を制御回路２１１に送出する。
【００６４】
ここで、前述の通電時において、夜間帯のように住戸内が暗く居室親機２の照度センサ２０７からの照度信号の電圧レベルが閾値レベル未満であると検出した制御回路２１１は、電源回路２１０を制御して、商用電源４からの電源供給について整流／平滑させた直流電源を非常照明灯２０４に供給して当該非常照明灯を点灯させることができる。この態様によれば、非常照明灯２０４を夜間照明灯として使用することができ、夜間帯における安全性が確保される。
【００６５】
また、非常照明灯２０４を夜間照明灯して使用するにあたり、居室親機２から非常照明灯２０４を取り外すと、非常照明灯２０４を点灯させるための動作電源は、電源回路２１０からの電源供給が遮断されて蓄電部２０４ａからの電源供給に切り替えられる。
【００６６】
なお、前述の通電時であっても、昼間帯のように住戸内が明るく居室親機２の照度センサ２０７からの照度信号の電圧レベルが閾値レベル以上である場合には、これを検出した制御回路２１１は非常照明灯２０４を非点灯のまま保持するため、電源回路２１０からの電源供給による無駄な電力消費が抑えられて省電力化が図られる。
【００６７】
一方、前述の停電時においては、夜間帯のように住戸内が暗く居室親機２の照度センサ２０７からの照度信号の電圧レベルが閾値レベル未満である、および昼間帯のように住戸内が明るく居室親機２の照度センサ２０７からの照度信号の電圧レベルが閾値レベル以上である場合の何れの態様であっても、これを検出した制御回路２１１は非常照明灯２０４を非点灯のまま保持するため、蓄電部２０４ａからの電源供給による無駄な電力消費が抑えられて省電力化が図られる。
【００６８】
次に、前述の通電時または停電時において、昼間帯のように住戸内が明るく居室親機２の照度センサ２０７からの照度信号の電圧レベルが閾値レベル以上であり、この照度と玄関子機１からの呼び出しを検出（詳述せず。）した制御回路２１１は、親機スピーカ２００から呼出音や音声メッセージ等を放音させるとともに、モニタ２０５のバックライト２０５ｂを点灯させた状態で、来訪者からの呼び出しがある旨の文字メッセージや絵データ等とカメラ１０１にて撮像された映像を表示面２０５ａに表示することができる。
【００６９】
一方、前述の通電時または停電時において、夜間帯のように住戸内が暗く居室親機２の照度センサ２０７からの照度信号の電圧レベルが閾値レベル未満であり、この照度と玄関子機１からの呼び出しを検出（詳述せず。）した制御回路２１１は、親機スピーカ２００から呼出音や音声メッセージ等を放音させるとともに、モニタ２０５のバックライト２０５ｂを消灯させた状態で、来訪者からの呼び出しがある旨の文字メッセージや絵データ等とカメラ１０１にて撮像された映像を表示面２０５ａに表示することができる。この制御によって、例えば、暗い住戸内に来訪者の顔が突然表示されるような就寝中の居住者にとって不快を感じる表示を防止でき、居住者は来訪者の識別が可能となる。
【００７０】
なお、居室親機２の制御回路２１１の制御により消灯されているモニタ２０５のバックライト２０５ｂを点灯させるためには、照度センサ２０７にて検知される照度レベルが閾値レベル未満であるか否かに拘わらず、居住者による操作部２０５の操作を検出した制御回路２１１の制御によって、バックライト２０５ｂを（手動で）点灯させることができる。同様に、人感センサ２０３からの感知信号を検出した制御回路２１１の制御によって、バックライト２０５ｂを（自動で）点灯させることもできる。
【００７１】
本発明のテレビドアホン装置においては、玄関に設置される玄関子機を１台の玄関子機１、住戸内に設置される居室親機を１台の居室親機２として説明したが、この台数に限定されるものではない。例えば、玄関子機および居室親機をそれぞれ複数台設ける場合であっても同様な効果を奏する。また、セキュリティセンサ３についても１台に限定されるものではなく、複数台の当該セキュリティセンサを設けることができる。
【００７２】
また、本発明のテレビドアホン装置においては、通電時において居室親機２の構成各部／回路および玄関子機１の構成各部／回路にそれぞれ電源供給する給電元を商用電源４、停電時において居室親機２の構成各部／回路および玄関子機１の構成各部／回路にそれぞれ電源供給する給電元を非常照明灯２０４と一体的に構成された蓄電部２０４ａのように、異なる２つの給電元を適用したが、これに限定されるものではない。例えば、住戸の屋根に照射される太陽光に応じた電力を生成して充電する太陽電池等の補助電源を住戸内および／または居室親機２に備えることにより、前述の実施例と比較して電源供給の長寿命化が図られる。
【００７３】
本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００７４】
【図１】本発明の実施例によるテレビドアホン装置の全体構成を示すシステム説明図。
【図２】本発明の実施例によるテレビドアホン装置において、居室親機の具体的な構成を示すブロック図。
【符号の説明】
【００７５】
１……玄関子機
１０１……カメラ
２……居室親機
２０２……操作部
２０３……人感センサ
２０４……非常照明灯
２０４ａ……蓄電部
２０５……モニタ（電力残量表示部）
２０５ｂ……バックライト
２０６……ＬＥＤ（電力残量表示部）
２０７……照度センサ
２０９……停電検出回路
２１１……制御回路
４……商用電源（ＡＣ１００Ｖ）
【図１】
2007174147.tif 000003
【図２】
2007174147.tif 000004